【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
絶縁基板と、
前記絶縁基板上に形成されている第１信号線と、
前記絶縁基板上に形成され、前記第１信号線と交差する第２信号線と、
前記第１及び第２信号線と連結されている第１薄膜トランジスタと、
前記第１薄膜トランジスタに接続されている画素電極と、
を含み、
前記画素電極は第１及び第２画素電極を含んでおり、前記第１画素電極は前記第１信号線と第１角度θ１（θ１≠０）をなす第１端部と、前記第１信号線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板。
【請求項２】
前記第２信号線は、互いに接続された１対の直線部を含み、前記直線部は前記第１信号線に対して実質的に-４５度及び４５度をなす、請求項１に記載の薄膜トランジスタ表示板。
【請求項３】
前記画素電極の第２画素電極に接続される第２薄膜トランジスタをさらに含み、
前記第１薄膜トランジスタは、前記画素電極の第１画素電極に接続される、請求項１に記載の薄膜トランジスタ表示板。
【請求項４】
前記画素電極の第１及び第２画素電極は、前記第２信号線に対して互いに反対に配置され、前記第１及び第２薄膜トランジスタは、前記第２信号線に対して互いに反対に配置される、請求項３に記載の薄膜トランジスタ表示板。
【請求項５】
前記画素電極の第１及び第２画素電極を接続する連結部をさらに含む、請求項４に記載の薄膜トランジスタ表示板。
【請求項６】
前記第２信号線は、前記第１信号線と第１角度θ１（θ１≠０）をなす第１部分と、前記第１信号線と第２角度θ２（θ２≠０、θ２≠θ１）をなす第２部分とを有し、前記連結部は、前記第１部分及び第２部分が交差する、前記第２信号線の交差領域を横切る、請求項５に記載の薄膜トランジスタ表示板。
【請求項７】
前記連結部は、前記画素電極と同一層からなる、請求項６に記載の薄膜トランジスタ表示板。
【請求項８】
前記連結部は、前記ゲート線と同一層からなる、請求項６に記載の薄膜トランジスタ表示板。
【請求項９】
前記第２信号線は、前記第１信号線と交差する部分に位置する交差部分をさらに含み、前記連結部は、前記第２信号線の前記交差部分の近くに配置され、前記画素電極と同一層からなる、請求項５に記載の薄膜トランジスタ表示板。
【請求項１０】
前記画素電極の少なくとも端部は前記第２信号線に重畳している、請求項１に記載の薄膜トランジスタ表示板。
【請求項１１】
前記画素電極の第１画素電極の第１端部と、前記画素電極の第２画素電極の第１端部とは、物理的に所定のギャップを有して分離されており、前記ギャップは前記第２信号線の 対応部分と平行に延在する、請求項１に記載の薄膜トランジスタ表示板。
【請求項１２】
前記ギャップは、前記第２信号線の対応部分と重畳する、請求項１１に記載の薄膜トランジスタ表示板。
【請求項１３】
前記第１及び第２信号線と分離された第３信号線をさらに含み、前記第３信号線は、前記画素電極の少なくとも一部及び前記画素電極に接続される第１薄膜トランジスタの一部に重畳する部分を有する、請求項１に記載の薄膜トランジスタ表示板。
【請求項１４】
前記第３信号線は、前記画素電極の前記第１又は第２画素電極の少なくとも１の端部の近くに配置される分枝をさらに含む、請求項１３に記載の薄膜トランジスタ表示板。
【請求項１５】
前記画素電極の前記第１又は第２画素電極の少なくとも１の端部は、前記第３信号線の分枝と重畳している、請求項１４に記載の薄膜トランジスタ表示板。
【請求項１６】
前記第１画素電極の前記第１端部と、前記第２画素電極の前記第１端部とは、ギャップによって物理的に分離されており、前記ギャップは前記第２信号線の対応部分と平行に延在している、請求項１４に記載の薄膜トランジスタ表示板。
【請求項１７】
前記ギャップは、前記第３信号線の分枝と重畳する、請求項１６に記載の薄膜トランジスタ表示板。
【請求項１８】
前記画素電極の第１画素電極及び第２画素電極を接続する連結部をさらに含み、前記分枝は前記連結部とは分離されている、請求項１７に記載の薄膜トランジスタ表示板。
【請求項１９】
前記画素電極及び前記第２信号線はギャップによって分離されており、前記ギャップは前記第２信号線と平行に延在する、請求項１４に記載の薄膜トランジスタ表示板。
【請求項２０】
前記第３信号線の分枝は、前記画素電極と前記第２信号線との間に配置され、前記画素電極の端部と重畳する、請求項１９に記載の薄膜トランジスタ表示板。
【請求項２１】
絶縁基板と、
前記絶縁基板上に形成され、ゲート電極を含むゲート線と、
前記ゲート線上に形成されるゲート絶縁膜と、
前記ゲート絶縁膜上に形成される半導体層と、
前記ゲート線と交差する交差部分と、少なくとも一部分が前記半導体層上に形成されるソース電極と、を含むデータ線と、
少なくとも一部分が前記半導体層上に形成され、前記ソース電極と反対に配置される第１ドレイン電極と、
前記半導体層上に形成される保護層と、
前記第１ドレイン電極に接続される画素電極と、
を含み、
前記画素電極は第１及び第２画素電極を含んでおり、前記第１画素電極は前記ゲート線と第１角度θ１（θ１≠０）をなす第１端部と、前記ゲート線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板。
【請求項２２】
前記データ線は、互いに接続された１対の直線部を含み、前記直線部は前記ゲート線に対して実質的に-４５度及び４５度をなす、請求項２１に記載の薄膜トランジスタ表示板。
【請求項２３】
前記ゲート線及び前記データ線と分離された維持電極線をさらに含み、前記維持電極線は、前記ゲート線に実質的に平行であり、前記第１ドレイン電極に重畳される拡張領域を有している維持電極を含む、請求項２１に記載の薄膜トランジスタ表示板。
【請求項２４】
前記画素電極の前記第２画素電極に接続された第２ドレイン電極をさらに含み、前記第１ドレイン電極は、前記画素電極の前記第１画素電極に接続される、請求項２１に記載の薄膜トランジスタ表示板。
【請求項２５】
前記第１及び第２画素電極は、前記データ線に対して互いに反対に配置され、前記第１及び第２ドレイン電極は、前記データ線に対して互いに反対に配置される、請求項２４に記載の薄膜トランジスタ表示板。
【請求項２６】
前記ゲート線及び前記データ線と分離された維持電極線をさらに含み、前記維持電極線は、前記ゲート線に実質的に平行であり、前記画素電極の少なくとも１の前記第１及び第２画素電極の端部に重畳される維持電極を含む、請求項２５に記載の薄膜トランジスタ表示板。
【請求項２７】
前記画素電極の第１及び第２画素電極を接続する連結部をさらに含む、請求項２５に記載の薄膜トランジスタ表示板。
【請求項２８】
前記連結部は、前記画素電極と同一層からなる、請求項２７に記載の薄膜トランジスタ表示板。
【請求項２９】
前記連結部は、前記ゲート線及び前記データ線と同一層からなる、請求項２７に記載の薄膜トランジスタ表示板。
【請求項３０】
前記データ線は前記画素電極の外側端部の近くに配置される、請求項２１に記載の薄膜トランジスタ表示板。
【請求項３１】
前記データ線は、前記ゲート線と第１角度θ１（θ１≠０）をなす第１部分と、前記ゲート線と第２角度θ２（θ２≠０、θ２≠θ１）をなす第２部分とを有し、
前記保護層の下部に配置されたカラーフィルター層をさらに含み、前記カラーフィルター層は、第１角度θ１（θ１≠０）をなす第１部分と第２角度θ２（θ２≠０）をなす第２部分とを有する、請求項２１に記載の薄膜トランジスタ表示板。
【請求項３２】
第１絶縁基板と、
前記第１絶縁基板上に形成されている第１信号線と、
前記絶縁基板上に形成され、前記第１信号線と交差する第２信号線と、
前記第１及び第２信号線と連結されている薄膜トランジスタと、
前記薄膜トランジスタに接続されている画素電極と、
前記第１絶縁基板に対向する第２絶縁基板と、
前記第２絶縁基板上に形成される共通電極と、
前記第１及び第２絶縁基板の間の液晶層と、
各ドメインが前記第２信号線の対応部分に平行な２つの主端部を有するように、液晶層を複数のドメインに分割するドメイン定義部材と、
を含み、
前記画素電極は第１及び第２画素電極を含んでおり、前記第１画素電極は前記第１信号線と第１角度θ１（θ１≠０）をなす第１端部と、前記第１信号線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板。
【請求項３３】
前記第１及び第２信号線と分離された第３信号線をさらに含み、前記第３信号線は画素電極と維持キャパシタを形成するように重畳し、前記第２信号線に平行に延在する分枝を含む、請求項３２に記載の薄膜トランジスタ表示板。
【請求項３４】
前記液晶層の液晶分子は負の誘電率異方性を有しており、前記液晶分子の長軸は、実質的に前記第１及び第２絶縁基板の表面と垂直をなしている、請求項３２に記載の薄膜トランジスタ表示板。
【請求項３５】
前記液晶層の液晶分子は正の誘電率異方性を有しており、前記液晶分子の長軸は、実質的に前記第１及び第２絶縁基板の表面と平行であり、前記第１絶縁基板から第２絶縁基板にかけてツイストしている、請求項３２に記載の薄膜トランジスタ表示板。
【請求項３６】
前記ドメイン定義部材は、前記共通電極の突出部である、請求項３２に記載の薄膜トランジスタ表示板。
【請求項３７】
前記ドメイン定義部材は、前記共通電極又は画素電極の切欠部である、請求項３２に記載の薄膜トランジスタ表示板。
【手続補正２】
【補正対象書類名】明細書
【補正対象項目名】０００９
【補正方法】変更
【補正の内容】
【０００９】
本願第１発明は、絶縁基板と、前記絶縁基板上に形成されている第１信号線と、前記絶縁基板上に形成され、前記第１信号線と交差する第２信号線と、前記第１及び第２信号線と連結されている第１薄膜トランジスタと、前記第１薄膜トランジスタに接続されている画素電極と、を含み、前記画素電極は第１及び第２画素電極を含んでおり、前記第１画素電極は前記第１信号線と第１角度θ１（θ１≠０）をなす第１端部と、前記第１信号線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板を提供する。
本願第２発明は、第１発明において、前記第２信号線は、互いに接続された１対の直線部を含み、前記直線部は前記第１信号線に対して実質的に-４５度及び４５度をなす、薄膜トランジスタ表示板を提供する。
【手続補正３】
【補正対象書類名】明細書
【補正対象項目名】００１０
【補正方法】変更
【補正の内容】
【００１０】
本願第３発明は、第１発明において、前記画素電極の第２画素電極に接続される第２薄膜トランジスタをさらに含み、前記第１薄膜トランジスタは、前記画素電極の第１画素電極に接続される、薄膜トランジスタ表示板を提供する。
本願第４発明は、第３発明において、前記画素電極の第１及び第２画素電極は、前記第２信号線に対して互いに反対に配置され、前記第１及び第２薄膜トランジスタは、前記第２信号線に対して互いに反対に配置される、薄膜トランジスタ表示板を提供する。
本願第５発明は、第４発明において、前記画素電極の第１及び第２画素電極を接続する連結部をさらに含む、薄膜トランジスタ表示板を提供する。
【手続補正４】
【補正対象書類名】明細書
【補正対象項目名】００１１
【補正方法】変更
【補正の内容】
【００１１】
本願第６発明は、第５発明において、前記第２信号線は、前記第１信号線と第１角度θ１（θ１≠０）をなす第１部分と、前記第１信号線と第２角度θ２（θ２≠０、θ２≠θ１）をなす第２部分とを有し、前記連結部は、前記第１部分及び第２部分が交差する、前記第２信号線の交差領域を横切る、薄膜トランジスタ表示板を提供する。
本願第７発明は、第６発明において、前記連結部は、前記画素電極と同一層からなる、薄膜トランジスタ表示板を提供する。
本願第８発明は、第６発明において、前記連結部は、前記ゲート線と同一層からなる、薄膜トランジスタ表示板を提供する。
【手続補正５】
【補正対象書類名】明細書
【補正対象項目名】００１２
【補正方法】変更
【補正の内容】
【００１２】
本願第９発明は、第５発明において、前記第２信号線は、前記第１信号線と交差する部分に位置する交差部分をさらに含み、前記連結部は、前記第２信号線の前記交差部分の近くに配置され、前記画素電極と同一層からなる、薄膜トランジスタ表示板を提供する。
本願第１０発明は、第１発明において、前記画素電極の少なくとも端部は前記第２信号線に重畳している、薄膜トランジスタ表示板を提供する。
【手続補正６】
【補正対象書類名】明細書
【補正対象項目名】００１３
【補正方法】変更
【補正の内容】
【００１３】
本願第１１発明は、第１発明において、前記画素電極の第１画素電極の第１端部と、前記画素電極の第２画素電極の第１端部とは、物理的に所定のギャップを有して分離されており、前記ギャップは前記第２信号線の対応部分と平行に延在する、薄膜トランジスタ表示板を提供する。
本願第１２発明は、第１１発明において、前記ギャップは、前記第２信号線の対応部分と重畳する、薄膜トランジスタ表示板を提供する。
【手続補正７】
【補正対象書類名】明細書
【補正対象項目名】００１４
【補正方法】変更
【補正の内容】
【００１４】
本願第１３発明は、第１発明において、前記第１及び第２信号線と分離された第３信号線をさらに含み、前記第３信号線は、前記画素電極の少なくとも一部及び前記画素電極に接続される第１薄膜トランジスタの一部に重畳する部分を有する、薄膜トランジスタ表示板を提供する。
本願第１４発明は、第１３発明において、前記第３信号線は、前記画素電極の前記第１又は第２画素電極の少なくとも１の端部の近くに配置される分枝をさらに含む、薄膜トランジスタ表示板を提供する。
【手続補正８】
【補正対象書類名】明細書
【補正対象項目名】００１５
【補正方法】変更
【補正の内容】
【００１５】
本願第１５発明は、第１４発明において、前記画素電極の前記第１又は第２画素電極の少なくとも１の端部は、前記第３信号線の分枝と重畳している、薄膜トランジスタ表示板を提供する。
本願第１６発明は、第１４発明において、前記第１画素電極の前記第１端部と、前記第２画素電極の前記第１端部とは、ギャップによって物理的に分離されており、前記ギャップは前記第２信号線の対応部分と平行に延在している、薄膜トランジスタ表示板を提供する。
【手続補正９】
【補正対象書類名】明細書
【補正対象項目名】００１６
【補正方法】変更
【補正の内容】
【００１６】
本願第１７発明は、第１６発明において、前記ギャップは、前記第３信号線の分枝と重畳する、薄膜トランジスタ表示板を提供する。
本願第１８発明は、第１７発明において、前記画素電極の第１画素電極及び第２画素電極を接続する連結部をさらに含み、前記分枝は前記連結部とは分離されている、薄膜トランジスタ表示板を提供する。
【手続補正１０】
【補正対象書類名】明細書
【補正対象項目名】００１７
【補正方法】変更
【補正の内容】
【００１７】
本願第１９発明は、第１４発明において、前記画素電極及び前記第２信号線はギャップによって分離されており、前記ギャップは前記第２信号線と平行に延在する、薄膜トランジスタ表示板を提供する。
本願第２０発明は、第１９発明において、前記第３信号線の分枝は、前記画素電極と前記第２信号線との間に配置され、前記画素電極の端部と重畳する、薄膜トランジスタ表示板を提供する。
【手続補正１１】
【補正対象書類名】明細書
【補正対象項目名】００１８
【補正方法】変更
【補正の内容】
【００１８】
本願第２１発明は、絶縁基板と、前記絶縁基板上に形成され、ゲート電極を含むゲート線と、前記ゲート線上に形成されるゲート絶縁膜と、前記ゲート絶縁膜上に形成される半導体層と、前記ゲート線と交差する交差部分と、少なくとも一部分が前記半導体層上に形成されるソース電極と、を含むデータ線と、少なくとも一部分が前記半導体層上に形成され、前記ソース電極と反対に配置される第１ドレイン電極と、前記半導体層上に形成される保護層と、前記第１ドレイン電極に接続される画素電極と、を含み、前記画素電極は第１及び第２画素電極を含んでおり、前記第１画素電極は前記ゲート線と第１角度θ１（θ１≠０）をなす第１端部と、前記ゲート線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板を提供する。
本願第２２発明は、第２１発明において、前記データ線は、互いに接続された１対の直線部を含み、前記直線部は前記ゲート線に対して実質的に-４５度及び４５度をなす、薄膜トランジスタ表示板を提供する。
【手続補正１２】
【補正対象書類名】明細書
【補正対象項目名】００１９
【補正方法】変更
【補正の内容】
【００１９】
本願第２３発明は、第２１発明において、前記ゲート線及び前記データ線と分離された維持電極線をさらに含み、前記維持電極線は、前記ゲート線に実質的に平行であり、前記第１ドレイン電極に重畳される拡張領域を有している維持電極を含む、薄膜トランジスタ表示板を提供する。
本願第２４発明は、第２１発明において、前記画素電極の前記第２画素電極に接続された第２ドレイン電極をさらに含み、前記第１ドレイン電極は、前記画素電極の前記第１画素電極に接続される、薄膜トランジスタ表示板を提供する。
本願第２５発明は、第２４発明において、前記第１及び第２画素電極は、前記データ線に対して互いに反対に配置され、前記第１及び第２ドレイン電極は、前記データ線に対して互いに反対に配置される、薄膜トランジスタ表示板を提供する。
【手続補正１３】
【補正対象書類名】明細書
【補正対象項目名】００２０
【補正方法】変更
【補正の内容】
【００２０】
本願第２６発明は、第２５発明において、前記ゲート線及び前記データ線と分離された維持電極線をさらに含み、前記維持電極線は、前記ゲート線に実質的に平行であり、前記画素電極の少なくとも１の前記第１及び第２画素電極の端部に重畳される維持電極を含む、薄膜トランジスタ表示板を提供する。
本願第２７発明は、第２５発明において、前記画素電極の第１及び第２画素電極を接続する連結部をさらに含む、薄膜トランジスタ表示板を提供する。
本願第２８発明は、第２７発明において、前記連結部は、前記画素電極と同一層からなる、薄膜トランジスタ表示板を提供する。
【手続補正１４】
【補正対象書類名】明細書
【補正対象項目名】００２１
【補正方法】変更
【補正の内容】
【００２１】
本願第２９発明は、第２７発明において、前記連結部は、前記ゲート線及び前記データ線と同一層からなる、薄膜トランジスタ表示板を提供する。
本願第３０発明は、第２１発明において、前記データ線は前記画素電極の外側端部の近くに配置される、薄膜トランジスタ表示板を提供する。
【手続補正１５】
【補正対象書類名】明細書
【補正対象項目名】００２２
【補正方法】変更
【補正の内容】
【００２２】
本願第３１発明は、第２１発明において、前記データ線は、前記ゲート線と第１角度θ１（θ１≠０）をなす第１部分と、前記ゲート線と第２角度θ２（θ２≠０、θ２≠θ１）をなす第２部分とを有し、前記保護層の下部に配置されたカラーフィルター層をさらに含み、前記カラーフィルター層は、第１角度θ１（θ１≠０）をなす第１部分と第２角度θ２（θ２≠０）をなす第２部分とを有する、薄膜トランジスタ表示板を提供する。
【手続補正１６】
【補正対象書類名】明細書
【補正対象項目名】００２３
【補正方法】変更
【補正の内容】
【００２３】
本願第３２発明は、第１絶縁基板と、前記第１絶縁基板上に形成されている第１信号線と、前記絶縁基板上に形成され、前記第１信号線と交差する第２信号線と、前記第１及び第２信号線と連結されている薄膜トランジスタと、前記薄膜トランジスタに接続されている画素電極と、前記第１絶縁基板に対向する第２絶縁基板と、前記第２絶縁基板上に形成される共通電極と、前記第１及び第２絶縁基板の間の液晶層と、各ドメインが前記第２信号線の対応部分に平行な２つの主端部を有するように、液晶層を複数のドメインに分割するドメイン定義部材と、を含み、前記画素電極は第１及び第２画素電極を含んでおり、前記第１画素電極は前記第１信号線と第１角度θ１（θ１≠０）をなす第１端部と、前記第１信号線と第２角度θ２（θ２≠０、θ２≠θ１）をなす第２端部とを有し、前記第２画素電極は、前記第１画素電極の前記第１端部と物理的に分離され、かつ近接している第１端部を有する、薄膜トランジスタ表示板を提供する。
本願第３３発明は、第３２発明において、前記第１及び第２信号線と分離された第３信号線をさらに含み、前記第３信号線は画素電極と維持キャパシタを形成するように重畳し、前記第２信号線に平行に延在する分枝を含む、薄膜トランジスタ表示板を提供する。
【手続補正１７】
【補正対象書類名】明細書
【補正対象項目名】００２４
【補正方法】変更
【補正の内容】
【００２４】
本願第３４発明は、第３２発明において、前記液晶層の液晶分子は負の誘電率異方性を有しており、前記液晶分子の長軸は、実質的に前記第１及び第２絶縁基板の表面と垂直をなしている、薄膜トランジスタ表示板を提供する。
本願第３５発明は、第３２発明において、前記液晶層の液晶分子は正の誘電率異方性を有しており、前記液晶分子の長軸は、実質的に前記第１及び第２絶縁基板の表面と平行であり、前記第１絶縁基板から第２絶縁基板にかけてツイストしている、薄膜トランジスタ表示板を提供する。
【手続補正１８】
【補正対象書類名】明細書
【補正対象項目名】００２５
【補正方法】変更
【補正の内容】
【００２５】
本願第３６発明は、第３２発明において、前記ドメイン定義部材は、前記共通電極の突出部である、薄膜トランジスタ表示板を提供する。
本願第３７発明は、第３２発明において、前記ドメイン定義部材は、前記共通電極又は画素電極の切欠部である、薄膜トランジスタ表示板を提供する。